(57)【特許請求の範囲】
【請求項１】
販売商品の商品見本を含む陳列物を並べる陳列部と、該陳列部を照らす照明手段と、自動販売機周囲の照度を測定する照度センサと、該照度センサの出力に基づいて前記照明手段を制御する制御手段とを備えた自動販売機であって、
前記制御手段は、所定時間内に前記照度センサの出力から前記自動販売機周囲の照度を複数回検出し、その検出した複数個の検出値から、単位時間当たりの照度変化量を算出して、その算出した前記単位時間当たりの照度変化量を、予め設定された基準値と比較し、その比較結果に基づいて前記照明手段の点灯を制御することを特徴とする自動販売機。
【請求項２】
前記制御手段は、前記比較結果に基づいて前記照明手段を点灯状態と消灯状態とに切り換えることを特徴とする請求項１記載の自動販売機。
【請求項３】
前記照明手段の照度を変更する調光手段を備え、前記制御手段は、前記比較結果に基づいて前記調光手段を介し前記照明手段の照度を調節することを特徴とする請求項１記載の自動販売機。
【請求項４】
前記制御手段は、前記照度センサの出力から検出した検出値が所定範囲内でないときは、その検出値を前記照度変化量の算出のための検出値から除外することを特徴とする請求項１、２または３記載の自動販売機。
【発明の詳細な説明】
【０００１】
【発明の属する技術分野】
本発明は、自動販売機に関し、特に、商品見本等を陳列する陳列部の照明に関する。
【０００２】
【従来の技術】
従来、自動販売機の陳列部を照らす照明装置の点灯および消灯を制御する技術としては、照度センサによって周囲の照度を検出し、所定の照度（基準値）以下になれば照明手段を点灯し、所定の照度以上になれば照明手段を消灯する方法を採用したもの（例えば、特開平８−２８７３３７号公報、特許第２７３０８０３号掲載公報参照）や、点灯時刻および消灯時刻を予め設定しておき、その時刻になれば照明手段を点灯又は消灯するような方法を採用したものが知られている。
【０００３】
【発明が解決しようとする課題】
しかしながら、前記一つ目の、照度センサによって検出した照度が所定の照度以下になれば点灯し、所定の照度以上になれば消灯する方法では、照度センサ毎に出力特性にばらつきがあるため、自動販売機毎に、周囲の照度が同じでも照度センサにより検出した照度にばらつきが生じ、自動販売機によっては、周囲が暗くなり照明が必要な状態になっても照明手段が点灯しないとか、周囲が明るくなり照明が必要でない状態になっても消灯しないといった、照明手段の点灯時刻や消灯時刻のばらつきが発生する。そのため、個々の照度センサの出力特性に合わせて、自動販売機毎に点灯および消灯の基準値の設定を行う必要があった。
【０００４】
また、前記二つ目の、予め設定した時刻で点灯又は消灯する方法では、気象条件等の環境の変化に関係なく、定刻にならないと点灯、消灯の切り換えが行われないため、実際には周囲が暗くなり照明が必要な状態になっているのに照明手段が点灯しない、あるいは、実際には周囲が明るくなり照明が必要でない状態になっているのに消灯しないといった問題が発生していた。
【０００５】
本発明は、陳列部の照明の制御のために自動販売機毎に設ける個々の照度センサの出力特性のばらつきに影響されることなく、周囲が暗くなりだして照明が必要となったときに速やかに照明手段を点灯させるなどの制御を行い、周囲が明るくなりだして照明が必要でなくなったときに速やかに照明手段を消灯させるなどの制御を行うようにできる自動販売機を提供することを目的とする。
【０００６】
【課題を解決するための手段】
本発明の自動販売機は、販売商品の商品見本を含む陳列物を並べる陳列部と、該陳列部を照らす照明手段と、自動販売機周囲の照度を測定する照度センサと、該照度センサの出力に基づいて照明手段を制御する制御手段とを備えた自動販売機であって、制御手段は、所定時間内に照度センサの出力から自動販売機周囲の照度を複数回検出し、その検出した複数個の検出値から、単位時間当たりの照度変化量を算出して、その算出した単位時間当たりの照度変化量を、予め設定された基準値と比較し、その比較結果に基づいて照明手段の点灯を制御することを特徴とする。
【０００７】
この自動販売機は、制御手段により、所定時間内に照度センサの出力から自動販売機周囲の照度を複数回検出し、その検出した複数個の検出値から、単位時間当たりの照度変化量を算出して、その算出した単位時間当たりの照度変化量を、予め設定された基準値と比較し、その比較結果に基づいて照明手段の点灯を制御する。この場合、算出される単位時間当たりの照度変化量は、自動販売機毎の個々の照度センサの出力特性のばらつきに影響されないため、自動販売機毎に基準値の設定は必要ない。そして、周囲が暗くなりだして照明が必要となったときに照明手段を速やかに照明を増やす制御を行うことができ、周囲が明るくなりだして照明が必要でなくなったときに速やかに照明を減らす制御を行うことができる。
【０００８】
この自動販売機において、制御手段は、前記比較結果に基づいて照明手段を点灯状態と消灯状態とに切り換えるものであってよい。その場合、周囲が暗くなりだしたら照明手段を速やかに点灯させ、明るくなりだしたら照明手段を速やかに消灯させるようにできる。
【０００９】
この自動販売機は、また、照明手段の照度を変更する調光手段を備え、制御手段が、前記比較結果に基づいて調光手段を介し照明手段の照度を調節するようにしてもよい。その場合、周囲の照度の変化に対応して照明手段の照度を徐々に変化させることができ、突然、照明手段が点灯または消灯するといった不自然さをなくすことができる。
【００１０】
ここで、制御手段は、照度センサの出力から検出した検出値が所定範囲内でないときは、その検出値を照度変化量の算出のための検出値から除外するようにするのがよい。そうすることにより、天候の変化等により照度が一時的に急変しても、照度変化量の算出値が急変しないようにして、照明手段が点灯状態または消灯状態を維持し続け、不必要に点灯または消灯しないようできる。
【００１１】
【発明の実施の形態】
以下、本発明の実施の形態を図面に基づいて説明する。
【００１２】
（第１の実施の形態）
第１の実施の形態は、例えば図１に概略斜視図を示す自動販売機に適用するものである。この自動販売機は、自動販売機本体１の前面に販売扉２が設けられ、販売扉２には販売商品の商品見本や宣伝用のポスターを陳列する陳列部３が設けられている。そして、陳列部３には、上下２箇所に陳列部３を照らす照明手段４（蛍光灯）が取り付けられている。また、販売扉２には、商品の金額等を表示する金額表示部５が設けられ、この金額表示部５に、自動販売機の周囲の照度に応じた電圧値を出力する照度センサ６が埋め込まれている。
【００１３】
図２は、この自動販売機の制御系のブロック図である。この自動販売機はコントロールユニットを内蔵する。そして、そのコントロールユニットは、自動販売機の販売動作を制御するとともに、照明手段４の点灯を制御する制御手段を構成する制御部７を備え、その制御部７には、自動販売機の周囲の照度を検出する照度センサ６と、陳列部３の照明のための照明手段４（蛍光灯）が接続されている。照明手段４の電力は自動販売機の電源から供給される。
【００１４】
また、コントロールユニットは、照明手段４の点灯及び消灯の基準となる照度変化率（すなわち、単位時間当たりの照度変化量）の基準値を記録する記録手段８を有し、照度センサ６により計測され制御部７で電圧値として検出された照度と、その電圧値の検出時間とを、順番に所定数だけストックする照度記録手段９を有し、また、照度センサ６の出力から周囲の照度を一定時間ごとに検出するために時間を計測する計時手段１０を有する。そして、制御部７にそれら記録手段８、照度記録手段９および計時手段１０が接続されている。
【００１５】
照度センサ６は、照度に応じた電圧値を出力するもので、それにより、自動販売機の周囲の照度を測定する。
【００１６】
図３は、照度センサ６の出力電圧値の推移を示すグラフである。この例では、照度センサ６の出力（電圧値）は、周囲が明るい場合には低くなり、周囲が暗い場合には高くなっている。なお、照度センサ６の出力（電圧値）は、逆に、周囲が明るい場合に高く、周囲が暗い場合に低くなるような回路設計も可能である。
【００１７】
制御部７は、自動販売機の販売動作を制御するとともに、照度センサ６の出力（電圧値）から自動販売機の周囲の照度を一定時間毎に検出し、その検出値（電圧値）が所定数になるまで照度記録手段９に順次ストックする。その際、検出した照度（電圧値）が、予め設定されている検出範囲Ｓ内の電圧値であるかどうかを確認し、検出範囲Ｓ内の電圧値であれば有効な電圧値として、照度記録手段９にストックするが、検出範囲Ｓ内の電圧値でなければ、無効な電圧値として、その検出値（電圧値）を破棄するとともに、既に照度記録手段９にストックされている検出値（電圧値）を消去する。そして、再び一定時間毎に周囲の照度を検出し、検出値（電圧値）が所定数になるまで照度記録手段９にストックする。
【００１８】
検出範囲Ｓは、昼間に検出される照度（電圧値）と夜間に検出される照度（電圧値）が含まれないような範囲に設定するのがよく、それにより、天候の変化等により照度が一時的に急変した場合に、制御部７は、検出された照度が検出範囲Ｓ内の電圧値ではないとして、その検出値（電圧値）を無効とし、後述の照度変化量の算出のための検出値から除外し、誤って照明手段４が点灯又は消灯されてしまわないようにすることができる。
【００１９】
制御部７は、照度記録手段９にストックされた照度の検出値（電圧値）が所定数に達したときに、それらの検出値（電圧値）とその検出時間（前記一定時間）から、照度記録手段９にストックされている全て（所定数）の検出値（電圧値）の検出に要した時間（所定時間）内における、単位時間当たりの照度変化量（単位時間当たりの電圧値の変化量）を、よく知られている直線回帰の式（単回帰分析の回帰式）を利用して算出する。
【００２０】
単回帰分析では、２つの変数ｘとｙに、ｙ＝ａｘ＋ｂなる１次式（直線）を当てはめる。ａは回帰係数、ｂはを定数項である。ここで、回帰係数ａは、周知の理論により、つぎの式で求めることができる。
【数１】
0004594558.tif 000002
【００２１】
この直線回帰の式において、照度記録手段９に順番にストックしている照度の検出値（電圧値）をｙに、検出時間をｘにそれぞれ当てはめ、直線の傾きに当たる回帰係数ａを求める。こうして求めた回帰係数ａ（直線の傾き）が、所定時間内における単位時間当たりの照度変化量（単位時間当たりの電圧値の変化量）に相当する。
【００２２】
図４は、図３のデータから直線回帰の式により算出した照度センサ６の出力電圧値の単位時間当たりの変化量の推移を示すグラフである。
【００２３】
そして、制御部７は、照明手段４が消灯している時には、記録手段８に記録されている、照明手段４の点灯の基準となる照度変化量の基準値と、所定時間内における単位時間当たりの照度変化量（単位時間当たりの電圧値の変化量）に相当する、直線回帰の式で求めた直線の傾き（回帰係数）ａとを比較し、傾きａが基準値（点灯の基準値）に達すると、照明手段４を点灯させる。
【００２４】
この例では、前述のように、照度センサ６の出力（電圧値）は、周囲が明るい場合には低くなり、周囲が暗い場合には高くなる。そのため、照明手段４が消灯している時というのは、周囲が明るい時で、電圧値は低い。そして、周囲が暗くなると、電圧値は上昇し、直線の傾きａは正の値となる。この場合、点灯の基準値は、例えば、傾きａの「１．５」の値に設定され、所定時間内における単位時間当たりの照度変化量が、この「１．５」に達した時点（図４のＡ点）で、照明手段４を点灯させる。
【００２５】
図５は、図４のグラフにおける点灯時（Ａ点）付近を拡大した図である。
【００２６】
また、照明手段４が点灯している時には、記録手段８に記録されている、照明手段４の消灯の基準となる単位時間当たりの照度変化量の基準値と、所定時間内における単位時間当たりの照度変化量（単位時間当たりの電圧値の変化量）に相当する、直線回帰の式で求めた直線の傾き（回帰係数）ａとを比較し、傾きａが基準値（消灯の基準値）に達すると、照明手段４を消灯させる。
【００２７】
この例では、照明手段４が点灯している時というのは、周囲が暗い時で、電圧値は高い。そして、周囲が明るくなると、電圧値は降下し、直線の傾きａは負の値となる。この場合、消灯の基準値は、例えば、傾きａの「−１」の値に設定され、所定時間内における単位時間当たりの照度変化量が、この「−１」に達した時点（図４のＢ点）で、照明手段４を消灯させる。
【００２８】
図６は、図４のグラフにおける消灯時（Ｂ点）付近を拡大した図である。
【００２９】
所定時間内における単位時間当たりの照度変化量（単位時間当たりの電圧値の変化量）に相当する、直線回帰の式で求めた直線の傾き（回帰係数）ａと、記録手段８に記録されている蛍光灯４の点灯の基準値あるいは消灯の基準値を比べ、直線の傾きａが点灯又は消灯の基準値に達しなければ、制御部７は照明手段灯４をそのまま点灯状態または消灯状態に維持する。
【００３０】
なお、点灯の基準値点灯または消灯の基準となる単位時間当たりの照度変化量の基準値（直線の傾きａ）は、前述のように、点灯の基準値として、例えば、傾きａの「１．５」の値に設定し、消灯の基準値として、例えば、傾きａの「−１」の値に設定するというように、変化量の上限値又は下限値によって設定する以外に、点灯および消灯のそれぞれの基準値に下限値と上限値の両方を定めて、特定の範囲内であることを条件に点灯または消灯させるようにしてもよい。そうすることで、例えば、照度センサ６にライトを当てる等のいたずらがあって急激な照度の変化があった場合には、照度の変化量が基準となる範囲の上限値を超えることになり、点灯していた照明手段４が消灯するような誤作動を防止できる。
【００３１】
図７はこの実施の形態における制御部７による照明制御の具体例を示すフローチャートである。このフローチャートによる制御は、スタートすると、ステップ１０１で、計時手段１０によって一定時間（１分間）を計時する。
【００３２】
そして、一定時間毎（１分毎）に、ステップＳ１０２で、照度センサ５から照度（電圧値）を検出する。例えば図８において、Ｖ１〜Ｖ５の順に電圧値を１分毎に１個ずつ検出する。
【００３３】
次いで、ステップＳ１０３で、検出した照度（電圧値）が、所定の検出範囲Ｓ（４Ｖ〜１．５Ｖ）内の値かどうか確認する。
【００３４】
そして、検出された照度（電圧値）が所定の検出範囲Ｓ内の値である場合は、ステップＳ１０４で、有効な電圧値として、検出した電圧値とその電圧値の検出時間（今回最初の検出時からの経過時間）を順番に照度記録手段９にストックし、電圧値のストック数Ｎをカウントする。
【００３５】
また、検出された電圧値が所定の検出範囲Ｓ内の電圧値でない場合は、ステップＳ１０５で、検出された電圧値を無効とし、記録手段９にストックされていた電圧値も消去し、照度記録手段９のストック数Ｎも「０」に戻す。そして、ステップＳ１０１へ戻り、新たに一定時間毎（１分間）の照度検出を開始する。
【００３６】
そして、ステップＳ１０４からステップ１０６へ進むと、電圧値が所定数（５回）検出され、電圧値のストック数Ｎが「５」となったか否かを判定し、ストック数Ｎが「５」になっていなければ、ステップＳ１０１へ戻って、ステップ１０４までの処理を繰り返す。
【００３７】
そして、ステップＳ１０６の判定で、電圧値のストック数Ｎが「５」になったら、ステップＳ１０７で、照度記録手段９に順番にストックされている各電圧値とそれらの検出時間から、所定時間（１回目の電圧値を検出してから５回目の電圧値を検出し終わるまでの時間で、この例では４分間）内における、単位時間当たりの照度変化量（単位時間当たりの電圧値の変化量）を、直線回帰の式を使って算出し、算出が終わると、ストックを破棄する。
【００３８】
そして、ステップＳ１０８で、照明手段４が消灯している状態か点灯している状態かを判断し、照明手段４が消灯している状態であれば、ステップＳ１０９で、記録手段８に記録されている、照明手段４の点灯の基準となる単位時間当たりの照度変化量の基準値（「１．５」）と、ステップＳ１０７で算出した、所定時間内における単位時間当たりの照度変化量（単位時間当たりの電圧値の変化量）とを比較し、単位時間当たりの照度変化量が基準値に達していれば、ステップＳ１１０で、照明手段４を点灯させた後、リターンし、基準値に達していなければ、そのまま消灯状態を維持してリターンする。
【００３９】
また、ステップＳ１０８の判断で、照明手段４が点灯している状態であれば、ステップＳ１１１で、記録手段８に記録されている、照明手段４の消灯の基準となる単位時間当たりの照度変化量の基準値（「−１」）と、ステップＳ１０７で算出した、所定時間内における単位時間当たりの照度変化量（単位時間当たりの電圧値の変化量）とを比較し、単位時間当たりの照度変化量が基準値に達していれば、ステップＳ１１２で、照明手段４を消灯させた後、リターンし、基準値に達していなければ、そのまま何もせず、点灯状態を維持してリターンする。
【００４０】
所定時間内における単位時間当たりの照度変化量（直線の傾きａ）の算出は、所定時間内の最初と最後の２回の照度を検出するだけでも可能であるが、自動販売機は屋外に設置される場合が多く、屋内に比べ環境変化が大きくて、車のヘッドライトや天候の変化等で一時的に周囲の照度が変化してしまうことが多い。そのため、所定時間の最初と最後の２回だけの検出では、単位時間当たりの照度変化量（直線の傾きａ）の算出値が、一時的な照度の変化の影響を大きく受けたものとなり、照明手段４が間違って点灯又は消灯してしまう。そうした照明手段４の誤作動を防ぐためには、所定時間内に照度の検出を少なくとも３回行うことで、一時的な照度の変化による、単位時間当たりの照度変化量への影響を小さくすることができる。この実施の形態では、所定時間内の照度の検出を５回としており、一時的な照度の変化で５回の検出値のうちの１つが大きく変化した場合でも、所定時間内の単位時間当たりの照度変化量は誤差の小さいものとなり、照明手段４の誤作動を防止できる。
【００４１】
なお、この実施の形態では、所定時間内の単位時間当たりの照度変化量の算出が終了し、新たに所定時間内の単位時間当たりの照度変化量の算出を行う場合に、照度記録手段９に記録されている５回分の電圧値Ｖ１〜Ｖ５を破棄し、新たに５回分の電圧値Ｖ６〜Ｖ１０を検出してから単位時間当たりの照度変化量を算出するが、そうではなくて、前回の所定時間内の単位時間当たりの照度変化量の算出に使用した電圧値Ｖ１〜Ｖ５の新しい方から４回分の電圧値Ｖ２〜Ｖ５と、新たに一定時間毎に検出した電圧値Ｖ６とを合わせた５回分の電圧値Ｖ２〜Ｖ６を使用して、単位時間当たりの照度の変化量を算出するようにしてもよい。そうすることで、照度の変化率を算出する時間のタイミングをより細かくでき、照明手段４の点灯あるいは消灯の制御をより正確に行うことができる。
【００４２】
（第２の実施の形態）
第２の実施の形態も同様に、例えば図１に示す自動販売機に適用するもので、図９に制御系のブロック図を示すとおり、照明手段４の照度を変更する調光手段である調光器１１を設け、照明手段４を照度の変更が可能なものにして、照度センサ６の出力（電圧値）から検出した所定時間内の複数回の検出値に基づく、単位時間当たりの照度変化量（直線の傾きａ）と、予め設定された基準値とを比較して、照明手段４の照度を調節する。
【００４３】
この場合、自動販売機本体は第１の実施の形態と同様である。そして、コントロールユニットは、自動販売機の販売動作を制御するとともに、照明手段４の点灯を制御する制御手段を構成する制御部７を備え、その制御部７には、自動販売機の周囲の照度を検出する照度センサ６と、陳列部３の照明のための、照度を変更可能な照明手段４（蛍光灯）が接続されている。また、コントロールユニットは、記録手段８を有し、照度記録手段９を有し、計時手段１０を有し、制御部７にそれら記録手段８、照度記録手段９および計時手段１０が接続されている。
【００４４】
この第２の実施の形態において、記録手段８は、基準となる単位時間当たりの照度変化量の範囲毎に照明手段４の照度を設定した調光テーブルを記録する。照度記録手段９および計時手段１０は、第１の実施の形態と同様で、照度記録手段９は、照度センサ６により計測され制御部７で電圧値として検出された照度と、その電圧値の検出時間とを、順番に所定数だけストックし、計時手段１０は、照度センサ６の出力から周囲の照度を一定時間ごとに検出するために時間を計測する。また、照度センサ６は、やはり照度に応じた電圧値を出力し、それにより、自動販売機の周囲の照度を測定する。
【００４５】
この第２の実施の形態において、制御部７は、やはり一定時間毎に照度センサ６の出力から検出される照度（電圧値）と、その電圧値の検出時間を所定数だけ照度記録手段９にストックし、ストックした照度（電圧値）から直線回帰の式を用いて、所定時間内における単位時間当たりの照度変化量を求める。
【００４６】
そして、制御部７は、記録手段８に記録されている調光テーブルの単位時間当たりの照度変化量の範囲と、直線回帰の式で求めた直線の傾きａに相当する所定時間内における単位時間当たりの照度変化量（単位時間当たりの電圧値の変化量）とを比較し、照明手段４の照度が、所定時間内の単位時間当たりの照度変化量が含まれる調光テーブル上の単位時間当たりの照度変化量の範囲に対応して設定された照度となるように、調光器１１を介して照明手段４の照度を調節する。
【００４７】
このようにすることで、周囲の照度の変化に対応して、ゆっくりと照明手段４の照度を変化させることができ、照明手段４が突然点灯または消灯するといった不自然さをなくすことができる。
【００４８】
図１０はこの実施の形態における制御部７による照明制御の具体例を示すフローチャートである。このフローチャートによる制御は、スタートすると、ステップ２０１で、計時手段１０によって一定時間（１分間）を計時する。
【００４９】
そして、一定時間毎（１分毎）に、ステップＳ２０２で、照度センサ５から照度（電圧値）を検出する。例えば、第１の実施の形態と同様、図８において、Ｖ１〜Ｖ５の順に電圧値を１分毎に１個ずつ検出する。
【００５０】
次いで、ステップＳ２０３で、検出した照度（電圧値）が、所定の検出範囲Ｓ（４Ｖ〜１．５Ｖ）内の値かどうか確認する。
【００５１】
そして、検出された照度（電圧値）が所定の検出範囲Ｓ内の値である場合は、ステップＳ２０４で、有効な電圧値として、検出した電圧値とその電圧値の検出時間（今回最初の検出時からの経過時間）を順番に照度記録手段９にストックし、電圧値のストック数Ｎをカウントする。
【００５２】
また、検出された電圧値が所定の検出範囲Ｓ内の電圧値でない場合は、ステップＳ２０５で、検出された電圧値を無効とし、記録手段９にストックされていた電圧値を消去し、照度記録手段９のストック数Ｎも「０」に戻す。そして、ステップＳ２０１へ戻り、新たに一定時間毎（１分間）の照度検出を開始する。
【００５３】
そして、ステップＳ２０４からステップ２０６へ進むと、電圧値が所定数（５回）検出され、電圧値のストック数Ｎが「５」となったか否かを判定し、ストック数Ｎが「５」になっていなければ、ステップＳ２０１へ戻って、ステップ２０４までの処理を繰り返す。
【００５４】
そして、ステップＳ２０６の判定で、電圧値のストック数Ｎが「５」になったら、ステップＳ２０７で、照度記録手段９に順番にストックされている各電圧値とそれらの検出時間から、所定時間（１回目の電圧値を検出してから５回目の電圧値を検出し終わるまでの時間で、この例では４分間）内における、単位時間当たりの照度変化量（単位時間当たりの電圧値の変化量）を、直線回帰の式を使って算出し、算出が終わると、ストックを破棄する。
【００５５】
そして、ステップＳ２０８で、直線回帰の式で求めた直線の傾きａに相当する所定時間内における単位時間当たりの照度変化量（単位時間当たりの電圧値の変化量）が、記録手段８に記録されている調光テーブルの単位時間当たりの照度変化量のいずれかの範囲に含まれるか否かを判定し、いずれのテーブル値範囲にも含まれていない場合は、そのまま現在の調光状態を維持してリターンする。
【００５６】
また、ステップＳ２０８の判定で、いずれかのテーブル値範囲に含まれる場合は、ステップ２０９で、記録手段８に記録されている調光テーブルの単位時間当たりの照度変化量の範囲と、直線回帰の式で求めた直線の傾きａに相当する所定時間内における単位時間当たりの照度変化量（単位時間当たりの電圧値の変化量）とを比較し、所定時間内における単位時間当たりの照度変化量が含まれる調光テーブル上の単位時間当たりの照度変化量の範囲に対応して設定された照度となるように、調光器１１を介して照明手段４の照度を調節し、リターンする。
【００５７】
なお、この第２の実施の形態でも、第１の実施の形態と同様、所定時間内における単位時間当たりの照度変化量の算出が終了し、新たに所定時間内における単位時間当たりの照度変化量の算出を行う場合に、照度記録手段９に記録されている５回分の電圧値Ｖ１〜Ｖ５を破棄し、新たに５回分の電圧値Ｖ６〜Ｖ１０を検出してから単位時間当たりの照度変化量を算出しているが、この場合も、前回の所定時間内における単位時間当たりの照度変化量の算出に使用した電圧値Ｖ１〜Ｖ５の新しい方から４回分の電圧値Ｖ２〜Ｖ５と、新たに一定時間毎に検出した電圧値Ｖ６とを合わせた５回分の電圧値Ｖ２〜Ｖ６を使用して、単位時間当たりの照度の変化量を算出するようにしてもよい。そうすることで、照度の変化率を算出する時間のタイミングをより細かくでき、照明手段４の照度調節をよりきめ細かく行うことができる。
【００５８】
以上、第１および第２の実施の形態を説明したが、これらの実施の形態は、時計手段を組み合わせて、昼間や夜間で照明手段４を点灯状態または消灯状態に、あるいは所定の調光状態に維持し続ける筈の時間帯では、単位時間当たりの照度変化量の算出を行わないようにしてもよく、そうすることで、より信頼性の高い照明制御を行うことができる。
【００５９】
【発明の効果】
以上の説明から明らかなように、この発明によれば、単位時間当たりの照度変化量に基づいて照度制御を行うため、自動販売機毎の個々の照度センサの出力特性のばらつきの影響がなく、自動販売機毎の設定は不要で、周囲が暗くなりだして照明が必要となったときに照明手段を速やかに照明を増やす制御を行うことができ、周囲が明るくなりだして照明が必要でなくなったときに速やかに照明を減らす制御を行うことができる。
【００６０】
また、調光手段を介し照明手段の照度を調節することにより、突然、照明手段が点灯または消灯するといった不自然さをなくすことができる。
【００６１】
また、照度センサの出力から検出した検出値が所定範囲内でないときは、その検出値を単位時間当たりの照度変化量の算出のための検出値から除外することにより、天候の変化等により照度が一時的に急変しても、照度変化量の算出値が急変しないようにして、照明手段が点灯状態または消灯状態を、あるいは所定の調光状態を維持し続け、不必要に点灯または消灯、あるいは照度変更しないようできる。
【図面の簡単な説明】
【図１】実施の形態に係る自動販売機の概略斜視図である。
【図２】実施の形態の一例（第１の実施の形態）の自動販売機の制御系のブロック図である。
【図３】実施の形態における照度センサの出力電圧値の推移を示すグラフである。
【図４】実施の形態における照度センサの出力電圧値の単位時間当たりの変化量の推移を示すグラフである。
【図５】図４のグラフにおける点灯時（Ａ点）付近を拡大した図である。
【図６】図４のグラフにおける消灯時（Ｂ点）付近を拡大した図である。
【図７】第１の実施の形態の制御部の動作を示すフローチャートである。
【図８】実施の形態における変化率算出のための電圧値検出の態様を説明する図である。
【図９】実施の形態の他の例（第２の実施の形態）の自動販売機の制御系のブロック図である。
【図１０】第２の実施の形態の制御部の動作を示すフローチャートである。
【符号の説明】
１  自動販売機本体
２  販売扉
３  陳列部
４  照明手段
５  金額表示部
６  照度センサ
７  制御部
８  記録手段
９  照度記録手段
１０  計時手段
１１  調光器
【図１】
0004594558.tif 000003
【図２】
0004594558.tif 000004
【図３】
0004594558.tif 000005
【図４】
0004594558.tif 000006
【図５】
0004594558.tif 000007
【図６】
0004594558.tif 000008
【図７】
0004594558.tif 000009
【図８】
0004594558.tif 000010
【図９】
0004594558.tif 000011
【図１０】
0004594558.tif 000012